(57)【要約】【課題】再利用可能で復旧が容易な浸水検知モジュールを提供する。【解決手段】保守用の若番光心線２０１を心線ガイド２１を通して光心線固定部２０でケース１０に固定し、ケース１０内に水が侵入した場合に浮き上がる浮き子１１と心線ガイド２１の間の若番光心線２０１を押し曲げて曲げ損失を与える曲げ部１２とを支点１４を中心に回転可能な回転部１３に配置する。これにより、ケース１０内に水が侵入すると浮き子１１が浮き上がり、浮き子１１に連動して曲げ部１２が上方へ移動し、若番光心線２０１に曲げ損失を与え、クロージャ１００から排水後は、浮き子１１と曲げ部１２が下がり、侵入発生前の通常状態に戻るので、浸水検知モジュール１が再利用できる。【選択図】図２
2019178912.tif 000002
【特許請求の範囲】
【請求項１】
クロージャ内の浸水を検知するための浸水検知モジュールであって、
水を侵入させるための開口部を有し、保守用光心線を内部に通すケースと、
浸水に伴って浮き上がり、前記保守用光心線に曲げ損失を与える損失付与手段と、
を備えることを特徴とする浸水検知モジュール。
【請求項２】
前記損失付与手段は、水に浮く浮きと、前記浮きと連動して動き、前記保守用光心線に曲げ損失を与える曲げ部とを有することを特徴とする請求項１に記載の浸水検知モジュール。
【請求項３】
前記損失付与手段は、支点を前記ケースに固定し、前記支点を中心に回転可能な回転部を有し、前記浮きおよび前記曲げ部は前記回転部に取り付けられ、
前記回転部の前記浮きおよび前記曲げ部を取り付けてない他端に対応する位置に、上下可動に配置された磁石を備えることを特徴とする請求項２に記載の浸水検知モジュール。
【請求項４】
前記損失付与手段は、中心に前記保守用光心線を通す貫通孔を有した、水に浮く浮きであることを特徴とする請求項１に記載の浸水検知モジュール。
【発明の詳細な説明】
【技術分野】
【０００１】
本発明は、光ケーブル接続点に設けられたクロージャ内への浸水を検知する技術に関する。
【背景技術】
【０００２】
近年、光アクセスサービスの拡大に伴い、光ケーブルの設備量が増加している。光ケーブルの接続部が長時間浸水すると、光損失の増加など、故障の原因となる。地下に配設された光ケーブルの保守のために、接続点の浸水の有無を監視する必要がある。
【０００３】
光ケーブルの接続点に設けられたクロージャ内への浸水を検知するため、クロージャ内の保守用心線に浸水検知モジュールを設置する（例えば非特許文献１）。
【０００４】
クロージャ内に浸水が発生すると、浸水検知モジュール内の膨張材が水に反応して膨張し、保守用心線が圧迫されて曲げが加えられる。管理者は、ＯＴＤＲ（Ｏｐｔｉｃａｌ  Ｔｉｍｅ  Ｄｏｍａｉｎ  Ｒｅｆｌｅｃｔｏｍｅｔｅｒ）を使って、定期的に曲げ損失の有無を測定することで、各接続点の浸水を検知できる。
【先行技術文献】
【非特許文献】
【０００５】
【非特許文献１】“浸水検知モジュール”、［online］、住電オプコム株式会社、［平成30年3月1日検索］、インターネット〈 URL：http://www.opcom.co.jp/product/hikarisystem/passive/shinsui-module/〉
【発明の概要】
【発明が解決しようとする課題】
【０００６】
しかしながら、従来の浸水検知モジュールは、使用後（浸水後）は取り替えが必要である。浸水検知モジュールを交換する場合は、クロージャをオープンして作業する必要があるため、取替え作業に時間を要するという問題があった。
【０００７】
本発明は、上記に鑑みてなされたものであり、再利用可能で復旧が容易な浸水検知モジュールを提供することを目的とする。
【課題を解決するための手段】
【０００８】
本発明に係る浸水検知モジュールは、クロージャ内の浸水を検知するための浸水検知モジュールであって、水を侵入させるための開口部を有し、保守用光心線を内部に通すケースと、浸水に伴って浮き上がり、前記保守用光心線に曲げ損失を与える損失付与手段と、を備えることを特徴とする。
【０００９】
上記浸水検知モジュールにおいて、前記損失付与手段は、水に浮く浮きと、前記浮きと連動して動き、前記保守用光心線に曲げ損失を与える曲げ部とを有することを特徴とする。
【００１０】
上記浸水検知モジュールにおいて、前記損失付与手段は、支点を前記ケースに固定し、前記支点を中心に回転可能な回転部を有し、前記浮きおよび前記曲げ部は前記回転部に取り付けられ、前記回転部の前記浮きおよび前記曲げ部を取り付けてない他端に対応する位置に、上下可動に配置された磁石を備えることを特徴とする。
【００１１】
上記浸水検知モジュールにおいて、前記損失付与手段は、中心に前記保守用光心線を通す貫通孔を有した、水に浮く浮きであることを特徴とする。
【発明の効果】
【００１２】
本発明によれば、再利用可能で復旧が容易な浸水検知モジュールを提供することができる。
【図面の簡単な説明】
【００１３】
【図１】クロージャ内に浸水検知モジュールを配置した様子を示す図である。
【図２】本実施形態の浸水検知モジュールの構成を示す平面模式図である。
【図３】図２の浸水検知モジュールが浸水したときの様子を示す平面模式図である。
【図４】図２，３の曲げ部に磁石を取り付けた浸水検知モジュールの構成を示す平面模式図である。
【図５】第１の実施の形態の変形例１の浸水検知モジュールの構成を示す平面模式図である。
【図６】第１の実施の形態の変形例２の浸水検知モジュールの構成を示す平面模式図である。
【図７】図６の浸水検知モジュールの構造を示す断面模式図である。
【図８】第２の実施の形態の浸水検知モジュールの構成を示す模式図である。
【図９】図８の浸水検知モジュールの構造を示す断面模式図である。
【図１０】縦型クロージャ内に浸水検知モジュールを配置した様子を示す図である。
【図１１】第２の実施の形態の変形例の浸水検知モジュールの構成を示す模式図である。
【発明を実施するための形態】
【００１４】
以下、本発明の実施の形態について図面を用いて説明する。
【００１５】
［第１の実施の形態］
図１は、クロージャ内に浸水検知モジュールを配置した様子を示す図である。クロージャ１００は、地下に敷設されているケーブル２００の接続点に設けられる。クロージャ１００は気密性が高く、クロージャ１００が設けられた地下設備が水没してもクロージャ１００内に水が侵入しにくい設計となっている。クロージャ１００内に水が侵入したことを早期発見するために、浸水検知モジュール１をクロージャ１００内の底部付近に設置する。
【００１６】
図２は、第１の実施の形態の浸水検知モジュール１の構成を示す平面模式図である。図３は、図２の浸水検知モジュール１が浸水したときの様子を示す平面模式図である。
【００１７】
浸水検知モジュール１は、通信用とは別の保守用の若番光心線２０１と老番光心線２０２に取り付けられる。若番光心線２０１と老番光心線２０２は光心線固定部２０により固定されて、ケース１０内を通される。より具体的には、若番光心線２０１は２つの心線ガイド２１を通って配置され、老番光心線２０２は心線ガイド２１を通さず、例えばケース１０内の外周近くを通される。
【００１８】
浸水検知モジュール１は、ケース１０内に浮き子１１および浮き子１１と連動して動く曲げ部１２を有する。図示していないが、ケース１０は、ケース１０内に水を流入させるための開口部を備える。クロージャ１００内に侵入した水は、開口部からケース１０内に侵入する。ケース１０の材料として樹脂を用いることができるが、これに限定するものではない。
【００１９】
浮き子１１と曲げ部１２は回転部１３に取り付けられる。回転部１３は支点１４を中心に回転可能にケース１０に固定される。浮き子１１は、ケース１０内に水が侵入した場合に浮き上がるように、発泡スチロールなどの水に浮く材料で構成する。曲げ部１２は、浮き子１１と連動して動き、ケース１０内に水が侵入していないときは若番光心線２０１に接触せず、ケース１０内に水が侵入したときに心線ガイド２１間の若番光心線２０１を押し曲げて曲げ損失を与える。具体的には、ケース１０内に水が侵入すると、浮き子１１が浮き上がり、浮き子１１の動きに連動して回転部１３が支点１４を中心に回転する。曲げ部１２は、回転部１３の回転に合わせて上方へ移動し、心線ガイド２１間の若番光心線２０１を押し曲げて曲げ損失を与える。曲げ部１２の形状は軸状であるがこの形状に限定するものではなく、若番光心線２０１に曲げ損失を与えられる形状であればよい。なお、心線ガイド２１を通していない老番光心線２０２は、浸水時にも曲げ損失が与えられない。
【００２０】
浸水時、曲げ部１２が若番光心線２０１に与えた曲げ損失をＯＴＤＲにより検出することで、浸水したクロージャ１００を検知できる。
【００２１】
浮き子１１から見て支点１４の反対側の回転部１３の下側に支え軸１５が取り付けられる。支え軸１５の下側に所定の範囲内で上下に可動な磁石１６が配置される。図３に示すように、浸水時に、クロージャ１００の外部の底に、磁石１６の下面と同じ磁極の磁石３０を近づけると、ケース１０内の磁石１６が反発して上に動き、支え軸１５が磁石１６に押されて回転部１３が浸水時とは逆方向に回転する。その結果、曲げ部１２が下がり、一時的に若番光心線２０１の押し曲げを解除できる。例えば、複数のクロージャ１００で浸水が発生している場合に、上流のクロージャ１００の浸水検知モジュール１で与えた曲げ損失を一時的に解除することで、下流のクロージャ１００の浸水検知モジュール１の曲げ損失を検出できる。
【００２２】
復旧時、クロージャ１００内から排水されると、ケース１０内の水も無くなり、浮き子１１が下がる。浮き子１１の動きに連動して回転部１３が浸水時とは逆方向に回転する。曲げ部１２は、回転部１３の回転に合わせて下方へ移動し、浸水発生前の通常状態に戻る。排水されると浸水検知モジュール１は通常状態に戻り再利用できるので、クロージャ１００を補修後、浸水した浸水検知モジュール１を新たなものに取り替える必要がない。
【００２３】
図２，３の浸水検知モジュール１の浮き子１１は、浸水状況によっては水面で上下に動き、若番光心線２０１に適切な曲げ損失を与えられないことが考えられる。そこで、図４に示す浸水検知モジュール１は、図２，３の浸水検知モジュール１に対して、曲げ部１２の先端と曲げ部１２の受け側のそれぞれに磁石１７，１８を配置した。
【００２４】
浸水時、曲げ部１２が上方に移動すると磁石１７，１８が互いに引き合い、若番光心線２０１を挟んで吸着する。そのため、浮き子１１が水面で上下に動きにくくなり、確実に若番光心線２０１に曲げ損失を与えられるようになる。磁石１７，１８の形状は、適切な曲げ損失を与えることができる形状にする。
【００２５】
曲げ部１２の先端が磁石１８に引き寄せられればよいので、磁石１７，１８のどちらかを鉄などの磁石にくっつく材料としてもよい。
【００２６】
（第１の実施の形態の変形例１）
図５は、第１の実施の形態の変形例１の浸水検知モジュール１の構成を示す平面模式図である。
【００２７】
変形例１の浸水検知モジュール１は、回転部１３を備えていない点で図２〜４の浸水検知モジュール１と異なる。変形例１の浸水検知モジュール１は、浮き子１１の上面に曲げ部１２を取り付けた。
【００２８】
ケース１０は、図２〜４の浸水検知モジュール１と同様のものを利用できる。若番光心線２０１および老番光心線２０２への取り付け方も図２〜４の浸水検知モジュール１と同様に、若番光心線２０１は２つの心線ガイド２１を通して配置し、老番光心線２０２は心線ガイド２１を通さず、例えばケース１０内の外周近くに配置する。
【００２９】
浮き子１１は、上下のみに可動で、左右には動かないように配置する。例えば、ケース１０内面に浮き子１１の左右への動きを制限するガイドを設けても良い。
【００３０】
曲げ部１２を磁石とし、図４と同様に、曲げ部１２の受け側に磁石１８を配置した。浸水時、曲げ部１２が上昇すると磁石１８に引き寄せられ、若番光心線２０１を挟む。曲げ部１２および磁石１８の形状は、心線ガイド２１間の若番光心線２０１に適切な曲げ損失を与えられる形状とする。
【００３１】
復旧時、曲げ部１２の重みにより、浮き子１１が下にさがり、若番光心線２０１の曲げが復旧する。なお、ケース１０の開口部から浮き子１１を手動で下げられるようにしてもよい。
【００３２】
（第１の実施の形態の変形例２）
図６は、第１の実施の形態の変形例２の浸水検知モジュール１の構成を示す斜視模式図であり、図７は、その断面の構造を示す断面模式図である。
【００３３】
変形例２の浸水検知モジュール１も浮き子１１の動きに連動して曲げ部１２が動き、若番光心線２０１を押し曲げで曲げ損失を与える点で、図２〜５の浸水検知モジュール１と同様である。
【００３４】
変形例２のケース１０は、側面の一部に平らな平面を備える円柱状である。浸水検知モジュール１は、平面を下に向けてクロージャ１００内に配置する。図示していないが、ケース１０は、ケース１０内に水を流入させるための開口部を備える。
【００３５】
図２〜５と同様に、若番光心線２０１は２つの心線ガイド２１を通って配置され、老番光心線２０２は心線ガイドを通さず、曲げ部１２に押し曲げられない位置に配置される。
【００３６】
ケース１０の中心線に沿って、軸回りに回転可能な回転軸１９が配置される。
【００３７】
浮き子１１および曲げ部１２は回転軸１９に固定される。具体的には、図６に示すように、ケース１０の両端側に一つずつの浮き子１１が配置され、２つの浮き子１１の間に曲げ部１２が配置される。浮き子１１は軸回りに回転移動し、浮き子１１の移動に伴って回転軸１９が回転し、さらに曲げ部１２も軸回りに回転移動する。
【００３８】
浮き子１１は、半円柱形状であり、浮き子１１の中心からずらした位置が回転軸１９に固定される。水位が上昇した場合、浮き子１１は図７の矢印に示す方向に回転する。浮き子１１の形状および固定位置は、これに限定するものではなく、浮き子１１の回転方向を一定方向に制御できるものであればよい。
【００３９】
曲げ部１２は、回転軸１９に固定された軸である。曲げ部１２の形状はこれに限定するものではなく、若番光心線２０１に適切な曲げ損失を与えることができる形状であればよい。図４の浸水検知モジュール１のように、曲げ部１２および曲げ部１２の受け側に磁石を配置してもよい。
【００４０】
浸水時、浮き子１１の回転に応じて曲げ部１２も軸回りに回転し、若番光心線２０１を押し曲げて曲げ損失を与える。曲げ部１２は、図７の横方向から若番光心線２０１を押し曲げる。
【００４１】
復旧時、浮き子１１および曲げ部１２の重みにより、回転軸１９が浸水時とは逆方向に回転し、曲げ部１２による若番光心線２０１の押し曲げが解除されて、浸水発生前の通常状態に戻る。
【００４２】
［第２の実施の形態］
第１の実施の形態の浸水検知モジュールは、浮き子１１と連動して動く曲げ部１２が若番光心線２０１に曲げ損失を与えていたが、第２の実施の形態の浸水検知モジュールは、曲げ部１２を備えず、浮き子１１が若番光心線２０１に曲げ損失を与える。
【００４３】
図８は、第２の実施の形態の浸水検知モジュール１の構成を示す模式図である。図９は、その断面の構造を示す断面模式図である。
【００４４】
図８，９のケース１０は円柱状である。浸水検知モジュール１の上下は気にせずに、クロージャ１００内に水平に設置すればよく、クロージャ内の広範囲の位置で使用可能である。図示していないが、ケース１０は、ケース１０内に水を流入させるための開口部を備える。
【００４５】
若番光心線２０１は、ケース１０の中心軸に沿って、２つの心線ガイド２１を通って配置される。老番光心線２０２は心線ガイド２１を通さず、例えばケース１０内の外周近くに配置される。
【００４６】
浮き子１１は、円柱形状であり、中心に若番光心線２０１を通すための貫通孔を備える。浮き子１１は、心線ガイド２１の間の若番光心線２０１に取り付けられる。浮き子１１は、側面から貫通孔にかけてつながる切れ目を備えて、その切れ目から若番光心線２０１を入れて貫通孔を通してもよい。
【００４７】
浸水時、浮き子１１が浮き上がるのに応じて、浮き子１１に通された若番光心線２０１が持ち上げられる。これにより、若番光心線２０１が押し曲げられて曲げ損失が与えられる。
【００４８】
復旧時、若番光心線２０１の張力により浮き子１１が元の位置に戻されて、浸水発生前の通常状態に戻る。
【００４９】
（第２の実施の形態の変形例）
図１０は、縦型クロージャ内に浸水検知モジュールを配置した様子を示す図である。図１０のクロージャ１００は、縦に配置する円柱状のクロージャである。縦型のクロージャ１００には、縦に配置可能な第２の実施の形態の変形例の浸水検知モジュール１を配置できる。
【００５０】
図１１は、第２の実施の形態の変形例の浸水検知モジュール１の構成を示す平面模式図である。
【００５１】
図１１の浸水検知モジュール１は円柱状である。クロージャ１００内に円柱を立てた状態で浸水検知モジュール１を配置する。
【００５２】
浸水検知モジュール１は、縦方向に延びる若番光心線２０１と老番光心線２０２に取り付けられる。若番光心線２０１と老番光心線２０２は、浸水検知モジュール１の上面と下面の光心線固定部２０により固定されて、ケース１０内を通される。
【００５３】
若番光心線２０１は、浮き子１１の中心を通され、浮き子１１に固定される。また、若番光心線２０１は、浮き子１１の上の光心線固定部２０に固定される。
【００５４】
浮き子１１は、円柱形状であり、ケース１０内に水が侵入したときに浮き上がる。若番光心線２０１は浮き子１１と浮き子１１の上の光心線固定部２０に固定されている。浸水時、浮き子１１が浮き上がると、若番光心線２０１は、光心線固定部２０と浮き子１１の間が押し曲げられて曲げ損失が与えられる。
【００５５】
浸水していないときは、浮き子１１は下に位置するので、浮き子１１より下に若番光心線２０１の余長ができる。この余長部分に曲げ損失を与えないように、浮き子１１が下がり過ぎないようなストッパーを設けてもよい。
【００５６】
以上説明したように、本実施の形態によれば、保守用の若番光心線２０１を心線ガイド２１を通して光心線固定部２０でケース１０に固定し、ケース１０内に水が侵入した場合に浮き上がる浮き子１１と心線ガイド２１の間の若番光心線２０１を押し曲げて曲げ損失を与える曲げ部１２とを支点１４を中心に回転可能な回転部１３に配置することで、ケース１０内に水が侵入すると浮き子１１が浮き上がり、浮き子１１に連動して曲げ部１２が上方へ移動し、若番光心線２０１に曲げ損失を与え、クロージャ１００から排水後は、浮き子１１と曲げ部１２が下がり、侵入発生前の通常状態に戻るので、浸水検知モジュール１が再利用できる。
【００５７】
本実施の形態によれば、回転部１３の浮き子１１と曲げ部１２を配置した反対側の端に対応する位置に、上下可動に磁石１６を配置することで、クロージャ１００の外側から磁石１６と同じ磁極の磁石３０を近づけると、磁石１６が反発して上方へ動き、回転部１３を浸水時とは逆方向に回転させて曲げ部１２を下げることができるので、一時的に若番光心線２０１の押し曲げを解除できる。
【００５８】
本実施の形態によれば、曲げ部１２の先端と曲げ部１２の受け側に磁石１７，１８を備えることで、浸水時、曲げ部１２が上方に移動すると磁石１７，１８が互いに引き合い、若番光心線２０１を挟んで吸着するので、確実に若番光心線２０１に曲げ損失を与えることができる。
【符号の説明】
【００５９】
１…浸水検知モジュール
１０…ケース
１１…浮き子
１２…曲げ部
１３…回転部
１４…支点
１５…軸
１６，１７，１８…磁石
１９…回転軸
２０…光心線固定部
２１…心線ガイド
２０１…若番光心線
２０２…老番光心線
１００…クロージャ
２００…ケーブル
３０…磁石
【図１】
2019178912.tif 000003
【図２】
2019178912.tif 000004
【図３】
2019178912.tif 000005
【図４】
2019178912.tif 000006
【図５】
2019178912.tif 000007
【図６】
2019178912.tif 000008
【図７】
2019178912.tif 000009
【図８】
2019178912.tif 000010
【図９】
2019178912.tif 000011
【図１０】
2019178912.tif 000012
【図１１】
2019178912.tif 000013
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
クロージャ内の浸水を検知するための浸水検知モジュールであって、
水を侵入させるための開口部を有し、保守用光心線を内部に通すケースと、
浸水に伴って浮き上がり、前記保守用光心線に曲げ損失を与える損失付与手段と、を備え、
前記損失付与手段は、
支点を前記ケースに固定し、前記支点を中心に回転可能な回転部と、
前記回転部に取り付けられた水に浮く浮きと、
前記回転部に取り付けられ、前記浮きと連動して動き、前記保守用光心線に曲げ損失を与える曲げ部と、
前記回転部の前記浮きおよび前記曲げ部を取り付けてない他端に対応する位置に、上下可動に配置された磁石と、を備える
ことを特徴とする浸水検知モジュール。
【手続補正２】
【補正対象書類名】明細書
【補正対象項目名】０００８
【補正方法】変更
【補正の内容】
【０００８】
本発明に係る浸水検知モジュールは、
クロージャ内の浸水を検知するための浸水検知モジュールであって、水を侵入させるための開口部を有し、保守用光心線を内部に通すケースと、浸水に伴って浮き上がり、前記保守用光心線に曲げ損失を与える損失付与手段と、を備え、前記損失付与手段は、支点を前記ケースに固定し、前記支点を中心に回転可能な回転部と、前記回転部に取り付けられた水に浮く浮きと、前記回転部に取り付けられ、前記浮きと連動して動き、前記保守用光心線に曲げ損失を与える曲げ部と、前記回転部の前記浮きおよび前記曲げ部を取り付けてない他端に対応する位置に、上下可動に配置された磁石と、を備えることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】